(57)【要約】【課題】屋外を含む比較的デッドな空間や、反射面が演奏位置・聴取位置から離れている大空間において、演奏空間や聴取空間の音場を改善することを目的とする。【解決手段】音場制御反射パネル１において、反射板３０の表面にはマイクロホン６０が、反射板３０の裏面にはスピーカ５０が、そして反射板３０と接続されたプレート１０の上には制御部４０が設けられ、それらが一体化されている。複数の音場制御反射パネル１で囲まれた空間において生じた演奏音は、反射板３０で反射されると共に、マイクロホン６０で収音され所定の音響処理が施されスピーカ５０から放音される。該放音された音は反射板３０を回り込み聴衆により聴取されると共に、マイクロホン６０で収音されるとの具合に帰還ループを形成し、演奏音に残響効果を付与する。【選択図】図１
2009092682.tif 000002
【特許請求の範囲】
【請求項１】
音を反射する反射板と、
前記反射板の片面に設けられ、収音し、収音した音を表す音信号を生成するマイクロホンと、
前記マイクロホンにより生成された音信号に所定の音響処理を施す音響処理手段と、
前記音響処理手段により音響処理が施された音信号を、ネットワークを介して出力する出力手段と、
ネットワークを介して、音信号を受信する受信手段と、
前記音響処理手段により音響処理が施された音信号、および前記受信手段により受信された音信号を放音するスピーカと
を有することを特徴とする音場制御装置。
【請求項２】
音を反射する反射板と、
前記反射板の片面に設けられ、収音し、収音した音を表す音信号を生成するマイクロホンと、
前記マイクロホンにより生成された音信号に所定の音響処理を施す音響処理手段と、
前記音響処理手段により音響処理が施された音信号を放音するスピーカと
を有することを特徴とする音場制御装置。
【請求項３】
前記マイクロホンは、前記スピーカから放音された音を収音し、その結果音響の帰還ループが形成されることを特徴とする請求項１または２に記載の音場制御装置。
【請求項４】
前記音響処理手段は、前記マイクロホンにより生成された音信号の周波数特性を変換することを特徴とする請求項１ないし３のいずれかに記載の音場制御装置。
【請求項５】
前記音響処理手段は、前記マイクロホンにより生成された音信号の振幅を調整することを特徴とする請求項１ないし３のいずれかに記載の音場制御装置。
【請求項６】
前記音響処理手段は、前記マイクロホンにより生成された音信号に時間的遅延を施すことを特徴とする請求項１ないし３のいずれかに記載の音場制御装置。
【請求項７】
前記音響処理手段は、前記マイクロホンにより生成された音信号の周波数成分ごとに時間的遅延を施すことを特徴とする請求項６に記載の音場制御装置。
【請求項８】
前記反射板と前記マイクロホンと前記音響処理手段と前記スピーカとは、互いに一体化されていることを特徴とする請求項１ないし７のいずれかに記載の音場制御装置。
【請求項９】
前記マイクロホンは、前記スピーカと前記反射板に関して反対の面に設けられており、前記スピーカから放音された音が直接前記マイクロホンに収音されないように前記音場制御反射パネル１に設けられていることを特徴とする請求項１ないし８のいずれかに記載の音場制御装置。
【請求項１０】
前記反射板は、マイクロホンが設けられている側に凸形状であることを特徴とする請求項１ないし９のいずれかに記載の音場制御装置。
【請求項１１】
請求項１に記載の音場制御装置が複数設けられ、該複数の音場制御装置が、前記ネットワークを介して互いに接続されていることを特徴とする音場制御システム。
【発明の詳細な説明】
【技術分野】
【０００１】
本発明は、音場制御装置および音場制御システムに関する。
【背景技術】
【０００２】
多目的ホールにおいては、用途に応じて残響時間を制御することが求められる。例えば、クラシックコンサートでは、多少長い残響時間が好まれるが、講演会では短い残響時間が好まれる。従来、残響時間を制御するために、主に２つの方法が用いられている。
【０００３】
一方は、建築的な手法である。該手法としては、音響反射板・吸音材の設置や室内形状・内装仕様の変更などといった手法が挙げられる。建築的な手法は、最終的な音響特性を予測しやすいなどのメリットもあるが、建築的な改修には莫大な費用がかかるばかりか、そもそも物理的に困難であることもある。
【０００４】
他方は、電気音響的な手法である。電気音響的な手法の一例として、音場支援システム（Active Field Control: AFC）が挙げられる。ＡＦＣは、残響感、音量感、拡がり感といった主要な聴感印象を、電気的な支援により自然に制御することができるシステムである。電気音響的な手法によれば、クラシックコンサートと講演会などといった音響的に相反する用途への対応が容易であるばかりでなく、大規模な建築的改修を必要としない。
【０００５】
電気音響的な手法として、特許文献１においては、ハウリングを防止するための各種調整を容易に行うことを可能にする技術が開示されている。該特許文献１によれば、マイク、スピーカ、収音信号切換手段、イコライザ、ＦＩＲフィルタ、アンプを一体に組み込んでユニット化し、伝送ケーブルを介して複数のユニットを相互に接続する。伝送ケーブルからは、他ユニットの収音信号が供給され、収音信号切換手段で自ユニットの収音信号と他ユニットの収音信号を順次切り替えることにより、マイクとスピーカの接続状態が複数のユニット間で相互に切り替えられる。その結果、マイクとスピーカ間の伝送特性が平均化されて、カラレーション（周波数軸上に鋭いピークが現れること）の低減とハウリングマージンの拡大が図られる。また、上記の構成をユニット化してあるため、設置も容易である。
【０００６】
特許文献２においては、ホールの建築条件によらず、各客席で使用目的に応じた最適な音響特性を得ることが可能な音響改善椅子について記載されている。該音響改善椅子には、マイクロホンおよびスピーカが一体化されており、マイクロホンが周囲に到来する音を収音し、該収音信号の反射音信号を生成する。反射音信号は、スピーカにより周囲に向けて再生され、マイクロホンとスピーカとが音響的にフィードバックループを形成する。
【０００７】
特許文献３においては、聴感上の違和感を生じることなくカラレーションを低減しハウリングマージンを稼ぐ技術が開示されている。該特許文献３によれば、音響空間に複数のスピーカと複数のマイクロホンを設け、マイクロホンの収音信号を帰還信号路によってスピーカに供給するが、その際、制御マトリクスにより、マイクロホンとスピーカとの接続を時々刻々と切り替える。そうすることで、各音響帰還系を合わせたループゲインおよび周波数特性は平均化される。
【０００８】
特許文献４においては、音響空間中にマイクロホンおよびスピーカを設け、音響的にフィードバックループを形成する音響帰還系において、ハウリングやカラレーションを抑制する音場制御装置が開示されている。該特許文献４によれば、音響空間におけるマイクロホンとスピーカとで形成される開ループにおける開ループ伝達関数の最小位相要素の逆特性を有するフィルタをループ内に挿入することにより、開ループ伝達関数に起因する不安定要素を閉ループから除去することができる旨が記載されている。
【０００９】
【特許文献１】特開平１０−０６９２８０号公報
【特許文献２】特開２００３−２１６１６５号公報
【特許文献３】特開平０６−２８４４９３号公報
【特許文献４】特開平０７−２４０９９３号公報
【発明の開示】
【発明が解決しようとする課題】
【００１０】
上記特許文献に記載された技術において、マイクロホンは、演奏者や聴衆から臨界距離程度離れた天井、壁などの位置で収音していた。そして、該収音した音をスピーカにより再生し、ホール全体の音場を制御していた。その場合、演奏音はマイクロホンに到達する音圧レベルが低く、高いゲインで音圧レベルを確保することが必要であり、ハウリングが発生する傾向があった。
また、上記特許文献に記載された技術においては、マイクロホンやスピーカを、音響空間を形成する建築物に対して設置することが想定されていた。しかし、屋外や巨大な建築内など、比較的デッドな（響きが少ない）空間においても音響を制御することが望まれていた。
【００１１】
本発明は上述の課題に鑑みてなされたものであり、屋外を含む比較的デッドな空間や、音の反射面が演奏位置・聴取位置から離れている大空間などにおいて、演奏空間や聴取空間の音場を改善することを目的とする。
【課題を解決するための手段】
【００１２】
本発明に係る音場制御装置は、音を反射する反射板と、前記反射板の片面に設けられ、収音し、収音した音を表す音信号を生成するマイクロホンと、前記マイクロホンにより生成された音信号に所定の音響処理を施す音響処理手段と、前記音響処理手段により音響処理が施された音信号を、ネットワークを介して出力する出力手段と、ネットワークを介して、音信号を受信する受信手段と、前記音響処理手段により音響処理が施された音信号、および前記受信手段により受信された音信号を放音するスピーカとを有することを特徴とする。
【００１３】
また、本発明に係る音場制御装置の別の態様は、音を反射する反射板と、前記反射板の片面に設けられ、収音し、収音した音を表す音信号を生成するマイクロホンと、前記マイクロホンにより生成された音信号に所定の音響処理を施す音響処理手段と、前記音響処理手段により音響処理が施された音信号を放音するスピーカとを有することを特徴とする。
【００１４】
本発明に係る音場制御装置は、上記の構成において、前記マイクロホンは、前記スピーカから放音された音を収音し、その結果音響の帰還ループが形成されるようにしても良い。
【００１５】
上記の構成において、前記音響処理手段は、前記マイクロホンにより生成された音信号の周波数特性を変換しても良い。
また、上記の構成において、前記音響処理手段は、前記マイクロホンにより生成された音信号の振幅を調整しても良い。
また、上記の構成において、前記音響処理手段は、前記マイクロホンにより生成された音信号に時間的遅延を施しても良い。その場合、前記音響処理手段は、前記マイクロホンにより生成された音信号の周波数成分ごとに時間的遅延を施しても良い。
【００１６】
本発明に係る音場制御装置は、上記の構成において、前記反射板と前記マイクロホンと前記音響処理手段と前記スピーカとは、互いに一体化されているとしても良い。
【００１７】
上記の構成において、前記マイクロホンは、前記スピーカと前記反射板に関して反対の面に設けられており、前記スピーカから放音された音が直接前記マイクロホンに収音されないように前記音場制御反射パネル１に設けられていても良い。
【００１８】
また、上記の構成において、前記反射板は、マイクロホンが設けられている側に凸形状であるとしても良い。
【００１９】
本発明に係る音場制御システムは、上記に記載の音場制御装置が複数設けられ、該複数の音場制御装置が、前記ネットワークを介して互いに接続されていることを特徴とする。
【発明の効果】
【００２０】
本発明に係る音場制御装置および音場制御システムによれば、屋外を含む比較的デッドな空間や、反射面が演奏位置・聴取位置から離れている大空間などにおいて、演奏空間や聴取空間の音場を改善できる。
【発明を実施するための最良の形態】
【００２１】
実施形態の説明に入る前に、以下の説明において用いる主な用語について説明する。
「直接音」とは、音源から空気中を伝播して聴取する人の耳に直接届く音である。
「残響音」とは、音源が発音を停止した後も連続して響いて聞こえる音であり、電気的にはリバーブ音とも呼ばれる。「残響音」は、主に２つの部分から成り立つと言われている。
【００２２】
一方は、「初期反射音」である。初期反射音は、音源から出た音が壁や天井に反射して、直接音が聞こえた後の比較的早い期間に到来する音またはその一群の音であり、個々の初期反射音は時間軸上で独立している。なお、各初期反射音のレベルや到達時間と到来方向は、響きの聴感的な印象を決める上で重要な要素である。
【００２３】
他方は、「後部残響音」である。後部残響音は、直接音が聞こえて比較的時間が経過してから多数回反射して届く音であり、個々の反射音が区別して聞こえない。後部残響音は、方向・位相がランダムで指数関数的にレベルが減少する音によってモデル化される。
「残響時間」とは、一般に残響音のエネルギー密度が平衡状態から１００万分の１（−６０ｄＢ）のレベルに減衰するまでの時間（単位：秒）と定義されている。
【００２４】
以下、図面を参照しつつ、本発明を実施する際の最良の形態について説明する。
（Ａ；構成）
本発明に係る音場制御反射パネル１の構成について説明する。音場制御反射パネル１が有する構成は、機械的構成と電気的構成に大別される。以下、機械的構成と電気的構成のそれぞれについて説明する。
【００２５】
図１は、音場制御反射パネル１の機械的構成を中心に示す図である。機械的構成は、音場制御反射パネル１の土台となるプレート１０と、該プレート１０と一体化されて立てられている反射板３０と、プレート１０の下面に設けられたローラ２０とからなる。
【００２６】
ここで、反射板３０の形状について図２を参照して説明する。反射板３０は、音を反射する剛性の高い材料で構成され、上部構造３１と下部構造３２とからなる。上部構造３１は図２（ａ）の縦断面に示すように、鉛直方向から所定の角度だけ傾けて下部構造３２の上端に接続されている。下部構造３２は、図２（ｂ）の水平断面に示すように、反射板３０表面（図中左側）で凸となるように湾曲している。
【００２７】
再び図１に戻り、プレート１０上には、制御部４０（コンピュータ装置）が設置されている。
反射板３０の表面（図中左側）にはマイクロホン６０が設けられている。なお、マイクロホン６０は存在が目立たないように表面等を意匠的に処理するのが望ましい。また、マイクロホン６０は、収音される音の周波数特性が平坦であって効率的に収音されるように、反射板３０の略中央に配置されるのが望ましい。
反射板３０の裏面（図中右側）にはスピーカ５０が設けられている。スピーカ５０は鉛直上向きに放音されるように設けられている。スピーカ５０から放音される音は、反射板３０に経路を遮られるので、直接マイクロホン６０に収音されることはない。
プレート１０の下面にはローラ２０が設けられており、音場制御反射パネル１全体を移動させることを容易にしている。
【００２８】
図３は、音場制御反射パネル１の主に電気的構成を示す図である。電気的構成は、上記、プレート１０の上面に設置された制御部４０と、Ｄ／Ａ(Digital / Analog)コンバータ５５を介してバスと接続されたスピーカ５０と、Ａ／Ｄ(Analog / Digital)コンバータ６５を介してバスと接続されたマイクロホン６０と、通信インタフェース（ＩＦ）部７０と、これらの各部を接続するバスとからなる。
【００２９】
制御部４０は、ＣＰＵ(Central Processing Unit)と、ＲＯＭ(Read Only Memory)と、ＲＡＭ(Random Access Memory)とを含む。ＣＰＵは、ＲＡＭをワーキングエリアとして、ＲＯＭに格納された制御プログラムを実行することにより、音データに対して各種の音響処理を施す。
【００３０】
図４は、制御部４０が音データに対して音響処理を施すための回路（以下、ＡＦＣ回路）を表す図である。
制御部４０は、バンドパスフィルタ（以下、ＢＰＦ）４２と、アンプ４３と、遅延部４４と、ミキシング部４５とを含む。なお、同図に示すように、ＢＰＦ４２とアンプ４３と遅延部４４とからなる処理系統は複数設けられており、制御部４０に入力された音データは、それら複数の処理系統に入力され、各々の処理系統で独立したパラメータに従って処理される。すなわち、各処理系統におけるＢＰＦ４２のフィルタ特性とアンプ４３の増幅率と遅延部４４による遅延時間は、各処理系統ごとにユーザにより適宜設定されている。
【００３１】
制御部４０における処理内容を詳細に説明する。各処理系統に入力された音データは、まず、ＢＰＦ４２により特定の周波数成分が抽出される。各処理系統におけるＢＰＦ４２のフィルタ特性は、透過する帯域が隣接する処理系統で所定量ずれており全ての処理系統で全ての周波数帯域がカバーされるように設定されている。ＢＰＦ４２を透過した周波数成分の振幅はアンプ４３により調整される。
【００３２】
続いて遅延部４４により、上記周波数成分の時間を遅延させる処理が行われる。なお、低い周波数成分を通過させるフィルタ特性を有するＢＰＦ４２と対応する遅延部４４には大きな遅延時間が設定されており、高い周波数成分を通過させるＢＰＦ４２と対応する遅延部４４には小さい遅延時間が設定されている。これは、一般に低音域成分ほど反射面において吸音されにくい傾向があるため、残響音に含まれる低音域成分のエネルギーの立ち上がりが遅くなる現象を電気的に模擬したものである。
遅延部４４から出力された音データはミキシング部４５によりミキシング処理（合成）され、バスへ出力される。
【００３３】
このように、ＡＦＣ回路に複数の処理系統が設けられていることにより、周波数成分ごとに振幅が調整される所謂イコライザ処理が行われる。また、各処理系統で遅延時間が異なることから、周波数成分ごとに異なる遅延時間が付与されている。
【００３４】
再び図３に戻り、スピーカ５０は、Ｄ／Ａコンバータ５５においてアナログ信号に変換された音信号に基づいて音を放音する。
マイクロホン６０は無指向性の収音手段である。マイクロホン６０は、反射板３０の表面に届く音を表す音信号を生成し、Ａ／Ｄコンバータ６５に出力する。Ａ／Ｄコンバータ６５において、該音信号はデジタルデータ（音データ）に変換される。
【００３５】
通信ＩＦ部７０は、後述するネットワークに有線接続されている。この通信ＩＦ部７０は、制御部４０から受取った音データをネットワークへ送出する。また、通信ＩＦ部７０は、ネットワークを介して音データを受信し、制御部４０へ出力する。
以上が音場制御反射パネル１の構成である。
【００３６】
（Ｂ；動作）
次に、上記の構成を有する音場制御反射パネル１の動作について説明する。
【００３７】
（Ｂ−１；音場制御反射パネル１の設置態様）
音場制御反射パネル１の設置方法について説明する。図５は、音場制御反射パネル１の配置を示した平面図である。同図に示した空間は、例えば屋外の広場であり、音を反射する建築物などが何もない空間である。同図は、空間の上方から見下ろした場合の音場制御反射パネル１の配置を示している。音場制御反射パネル１の設置方向は、各反射板３０の形状を用いて模式的に示されている。該模式図において、凸面が音場制御反射パネル１の反射板３０の表面である。
【００３８】
音場制御反射パネル１は、同図に示すように８つ配置されている。以下では、それらを互いに区別する場合には、同図に示されるように、それぞれ音場制御反射パネル１Ａ、１Ｂ、１Ｃ、１Ｄ、１Ｅ、１Ｆ、１Ｇ、１Ｈと表す。設けられた音場制御反射パネル１のうち４つは、演奏者が演奏をする演奏エリア３の背後に、該エリアを半円状に取り囲むように配置されている。残り４つの音場制御反射パネル１は、聴衆が該演奏を聴取する聴取エリア４の両側方に２つづつ設けられている。
【００３９】
空間に設けられた８つの音場制御反射パネル１は、図に示すように、音場制御反射パネル１Ａと１Ｈの間を除き、隣り合う音場制御反射パネル１との間で、通信ＩＦ部７０を介してネットワーク接続されている。該ネットワークを、以下ではネットワーク２と呼ぶ。音場制御反射パネル１は、該ネットワーク２を介して、音データを他の音場制御反射パネル１とやり取りすることができる。
【００４０】
（Ｂ−２；各々の音場制御反射パネル１の処理内容）
まず、複数の音場制御反射パネル１がネットワーク接続されたシステムにおいて、各々の音場制御反射パネル１が実行する音響処理について説明する。
音場制御反射パネル１の音響処理は、反射板３０により主に初期反射音を生成する「パッシブな処理」と、ＡＦＣ回路により主に後部残響音を生成する「アクティブな処理」とに大別される。
【００４１】
まず、「パッシブな処理」について説明する。反射板３０の表面に到達した音は、反射板３０の表面で反射板３０の前方の空間に反射される。上部構造３１は主に斜め上方に向かう演奏音を反射し、下部構造３２は主に反射板３０の表面に到達した演奏音を反射する。なお、上述のように、下部構造３２は、反射板３０の表面が凸となるように湾曲しているが、これはパラボラアンテナのように、反射板３０の表面で反射した演奏音が特定の位置に集中し該位置で強めあうことを避けるためである。
【００４２】
次に、「アクティブな処理」について説明する。反射板３０の表面に到達した音はマイクロホン６０により収音され、該収音された音を表す音信号が生成される。該音信号は、Ａ／Ｄコンバータ６５によりデジタルデータへと変換され、制御部４０に入力される。制御部４０は、上記ＡＦＣ回路により該音データに音響処理を施す。
簡単には、ＡＦＣ回路に入力された音データは、各処理系統において周波数帯域ごとに所定の音響処理が施される。すなわち、アンプ４３により振幅が調整され、遅延部４４により時間的に遅延する処理が施される。各処理系統において生成された音データはミキシング部４５により合成されバスに出力される。
【００４３】
その結果、合成された音データにおいては、振幅および周波数特性が調整されると共に、低い周波数成分ほど遅延時間が多くなるように調整される。制御部４０は、上記のように生成された音データを、他の音場制御反射パネル１に出力する。また、制御部４０は、該音データを、Ｄ／Ａコンバータ５５によりアナログ信号に変換させた後、当該音場制御反射パネル１のスピーカ５０から放音させる。
以上が、個々の音場制御反射パネル１の処理内容である。
【００４４】
（Ｂ−３；複数の音場制御反射パネル１による処理内容）
上述した個々の動作が、複数の音場制御反射パネル１について組み合わされることにより実現される音響処理について説明する。
【００４５】
図５に示すように、まず、演奏エリア３で演奏音が発生する。該演奏音は、演奏者に直接音として聴取されると共に、演奏エリア３の背後にある音場制御反射パネル１の反射板３０で反射され、該反射音（主に初期反射音）は演奏者自身によって聴取される。
また、演奏音は、聴取エリアにおける聴衆によって直接音として聴取されると共に、聴取エリア４の側方にある音場制御反射パネル１の反射板３０で反射され、該反射音（主に初期反射音）は聴衆により聴取される。
【００４６】
例えばホールなどであれば、演奏者は、自らの演奏の直接音に加えて残響音（初期反射音や後部残響音）を聴取することにより、演奏内容を確かめたり、演奏をしているという実感を得たりすることができる。また、聴衆は、残響音により演奏音の迫力や余韻を楽しむことができる。
しかし、音を反射する建築物などが元々ない空間においては、音場制御反射パネル１がなければ、演奏者や聴衆は演奏音の直接音だけしか聴取することができない。そのような場合、演奏者は演奏をするための手がかりあるいは演奏をしているという実感が得られない傾向にあるし、聴衆は演奏の迫力や余韻を楽しむことが出来ない。しかし、本実施形態においては、音場制御反射パネル１の存在により、上記の問題が抑制される。
以上が音場制御反射パネル１による「パッシブな音響処理」に基づく音の伝達である。
【００４７】
次に、音場制御反射パネル１による「アクティブな音響処理」に基づく音の伝達について説明する。
演奏音は各音場制御反射パネル１に到達すると、反射板３０の表面に設けられたマイクロホン６０により収音され、該収音された音を表す音信号が生成される。
該音信号はスピーカ５０により放音される。その場合、スピーカ５０は、音場制御反射パネル１の反射板３０の裏面に設けられていることから、放音された音は、反射板３０を回りこんで演奏者または聴衆に伝わる。その結果、演奏者または聴衆は、スピーカ５０の存在を意識することなく音を聞くことができる。また、スピーカ５０とマイクロホン６０は反射板３０を介して設けられていることから、ハウリングを起こしにくいとの効果もある。
また、マイクロホン６０により生成された音信号は、デジタルデータへ変換された後、制御部４０のＡＦＣ回路により音響処理され、ネットワーク２を介して他の全ての音場制御反射パネル１に出力される。そして、他の全ての音場制御反射パネル１から受取った音データは、各音場制御反射パネル１において、スピーカ５０により放音される。従って、ある音場制御パネル１のマイクロホン６０で収音した演奏音を、該マイクロホンを有する音場反射パネル１に設けられたスピーカ５０より放音する経路を含まないので、ハウリングを起こしにくい。
【００４８】
さて、以上の説明から、各音場制御反射パネル１の反射板３０の表面には、演奏音の直接音や初期反射音に加え、自らの音場制御反射パネル１において収音された音、およびネットワーク２を介して他の複数の音場制御反射パネル１から供給された音データに基づく音が到達する。
【００４９】
このように、様々な伝搬経路を経て音場制御反射パネル１の表面に到達した音は、演奏者や聴衆により聴取されると共に、反射板３０の表面に設けられたマイクロホン６０により再び収音され、該マイクロホン６０により収音された音を表す音信号が生成される。該生成された音信号は、スピーカ５０により再び放音されると共に、当該音場制御反射パネル１の制御部４０により音響処理され、処理された音データは他の音場制御反射パネル１に出力される。
【００５０】
以上の説明によれば、演奏音が一旦生成されると、該演奏音は、直接又は反射しながら空気中を伝播すると共に、各音場制御反射パネル１のマイクロホン６０により収音され、所定の音響処理が施された後に空間内に放音される。該放音された音は、再び空気中を伝播する。以上のサイクルが繰り返されることとなる。このように、複数の音場制御反射パネル１がネットワーク２で接続された空間においては、音（音および音データ）の伝搬経路に複数の帰還ループが形成され、該複数の帰還ループの組み合わせにより無数の伝搬経路が形成される。
【００５１】
その際、個々の伝搬経路をたどる演奏音は、空気中の伝播またはＡＦＣ回路による音響処理によって、周波数特性が変化すると共に振幅は減衰する。また、各伝搬経路を通過する際に、遅延部４４により遅延処理が施されたり、空気中を伝播することにより音に遅れが生じたりする。
それらの音響効果は、上記伝搬経路ごとに異なることから、無数の伝搬経路のそれぞれを経た成分は、互いに異なる音響効果が付与されている。そのような個々の伝搬経路をたどった無数の演奏音が演奏者や聴衆の耳に届いた場合には、個々の成分は聴覚的にもはや互いに区別が出来ないようになっており、振幅が滑らかに減衰する「自然な後部残響音」として聴取される。
なおユーザは、演奏音を発生させながら、上記ＡＦＣ回路に含まれるＢＰＦ４２、アンプ４３、および遅延部４４に設定されるパラメータを適宜調整することにより、最適な残響音が空間に生成されるようにしても良い。
以上が、音場制御反射パネル１による「アクティブな音響処理」に基づく音の伝達である。
【００５２】
（Ｂ−４；動作のまとめ）
以上に説明した音場制御反射パネル１の「パッシブな音響処理」および「アクティブな音響処理」により、以下のような音場が実現される。すなわち、無数の伝搬経路をたどった音が重ねあわされることによる「音量感」の増強、それぞれ異なる時間長の遅延が各周波数成分に与えられ残響音が生成されていることによる「残響（音）の自然さ」、および、それら無数の伝搬経路をたどった音が減衰しながら帰還ループを繰り返すことにより生成される「残響感」などが演奏者および聴衆に与えられる。
【００５３】
また、演奏エリア３の背後にある音場制御反射パネル１に設けられたマイクロホン６０は演奏者に近いことから、該マイクロホン６０により生成された音信号は演奏音を明瞭に表すが、該音信号が、聴取エリア４の側方に設けられた音場制御反射パネル１のスピーカ５０から供給されることにより、演奏者から離れた聴衆でも明瞭な演奏音を聞くことが可能になる。該効果は、上記実施形態のように周囲に音を反射するものがない空間や大きな空間においては非常に顕著となる。
【００５４】
更には、以上に説明した音場制御反射パネル１は、反射板３０とマイクロホン６０とスピーカ５０と制御部４０とを含むコンピュータ装置が、一体化されており容易に移動可能となっている。従って、音場制御反射パネル１を設ける空間の制限（空間の形状、建築の改修の可否など）によらず容易に音場を生成することが可能である。
【００５５】
（Ｃ；変形例）
以上、本発明の実施形態について説明したが、本発明は以下のように種々の態様で実施することができる。なお、以下に説明する種々の実施形態を、適宜組み合わせて実施することも可能である。
【００５６】
（１）上記実施形態においては、音場制御反射パネル１が空間に８つ設けられる場合について説明した。しかし、設けられる音場制御反射パネル１の数は８つに限定されるものではなく、１または複数であれば良い。音場制御反射パネル１が設けられる空間の大きさ、特性、ユーザのニーズなどに応じて最適の数設けられれば良い。
なお、音場制御反射パネル１が１つ設けられた場合には、ネットワーク２を介した他の音場制御反射パネル１との音データのやりとりは実現できないが、その場合においても、反射板３０により初期反射音が演奏者に聴取されるだけでなく、マイクロホン６０により収音された音が反射板３０の裏面に設けられたスピーカ５０から放音され、反射板３０を回り込んで演奏者に聴取される。更には、該スピーカ５０から回り込んだ音は、再びマイクロホン６０により収音されスピーカ５０から放音されるという具合に帰還ループを形成し、残響音を生成することができる。
また、上記実施形態においては、図５に示すように、複数の音場制御反射パネル１をネットワークで接続して用いる場合について説明した。しかし、空間に複数の音場制御反射パネル１を設ける場合にも、それらをネットワークで接続せず、各音場制御反射パネル１を単独で機能させても良い。その場合には、個々の音場制御反射パネル１が上述の音響効果を奏する。
また、上記実施形態においては、図５に示すように、演奏エリアと聴取エリアを取り囲むように８つの音場制御反射パネル１が配置されている場合について説明した。しかし、演奏エリアや聴取エリアの位置関係や、それらのエリアに対する音場制御反射パネル１の設置位置は、実施形態に示した例の他にも以下のように様々な態様が可能である。
図８には、演奏エリア３を半円状に取り囲むように聴取エリア４が設けられており、演奏エリアの背後に１つ、聴取エリアを取り囲むように５つ、あわせて６つの音場制御反射パネル１が設けられている場合について示す。このように演奏エリアや聴取エリアの位置関係や、それらのエリアに対する音場制御反射パネル１の設置位置や設置数などは、空間の制限や必要性などに応じて適宜定めれば良い。
更に、上記実施形態においては、図５に示すように演奏エリア３と聴取エリア４とを含む空間を複数の音場制御反射パネル１で取り囲み、一つのシステムを構成する場合について説明した。しかし、該制御の対象とする空間を複数のエリアに分割し、該エリア毎に一つのシステムを構成してもよい。このようすると、制御部４０のアンプ４３のゲインや遅延部４４の遅延時間等のパラメータを、各エリアの音響特性に応じて最適に制御することができる。
【００５７】
（２）上記実施形態においては、各音場制御反射パネル１は、マイクロホン６０で収音された音を表す音データを、他の全ての音場制御反射パネル１に出力する場合について説明した。しかし、音データを生成・出力する音場制御反射パネル１と該音データを受取る音場制御反射パネル１の組み合わせの態様は、上記実施形態に限られるものではない。
例えば、各音場制御反射パネル１は、生成した音データを他の１つの音場制御反射パネル１に出力するが、その出力先は所定時間ごとにランダムに切り替えられるようにしても良い。そのようにすれば、各音場制御反射パネル１は、他の音場制御反射パネル１からランダムに音データを受取ることになり、該音場制御反射パネル１において放音される音のランダムさ、自然さが確保されるとの効果を奏する。また、ネットワーク上を伝送されるデータ量を比較的小さく抑えることができる。
【００５８】
（３）上記実施形態においては、制御部４０のＡＦＣ回路における処理系統は複数設けられる場合について説明した。しかし、処理系統の数は１であるとしても良い。その場合、ＢＰＦ４２を設けないようにしても良いし、全ての周波数成分を透過させるようにしても良いし、特定の周波数帯域のみ透過させるようにしても良い。
【００５９】
（４）上記実施形態においては、制御部４０のＡＦＣ回路における処理系統は複数設けられ、それぞれの処理系統においては独立してパラメータが設定されている場合について説明した。それらのパラメータをユーザにより簡易に設定する設定手段を設けても良い。例えば、音場制御反射パネル１に操作部８０を設け、該操作部８０を介して、状況に応じたパラメータの設定ができるようにしても良い。図６は、操作部８０が設けられた音場制御反射パネル１の構成を示した図である。
図７は、該パラメータの設定手段である操作部８０を示した図である。操作部８０は、タッチパネル式の入力／表示手段である。操作画面は、各種パラメータを調整するための複数の操作子が表示されている。同図に示すように、操作画面は、各周波数成分の増幅率８３を設定するためのイコライジング部８１と、各周波数成分の遅延時間を表す遅延操作部８２がある。
イコライジング部８１には、周波数成分ごとの増幅率８３が示されている。各周波数に対して設けられたスライダ８４は、ユーザにより押下された位置へ移動され、増幅率８３は対応する値に設定される。
遅延操作部８２には、各周波数成分を遅延させる遅延時間が表示されている。遅延時間は、遅延時間８６をミリ秒の単位でデジタル表示されており、対応付けられたアイコン８７を押下されると遅延時間８６がインクリメント又はデクリメントされる。
このようにして設定されたパラメータに基づいて上記実施形態における音響処理が行われるようにしても良い。
【００６０】
（５）上記実施形態においては、音場制御反射パネル１において、スピーカ５０とマイクロホン６０が反射板３０を介して設けられており、ハウリングが起こりにくい旨を説明した。そこで、上記制御部４０におけるＡＦＣ回路において、処理系統（周波数成分）ごとのアンプ４３の増幅率を適宜制御することにより、ハウリングを更に起こりにくくするようにすれば尚良い。すなわち、音場制御反射パネル１が設置された空間において、ハウリングを起こす傾向の高い周波数成分を解析し、該周波数成分に対応する処理系統のアンプ４３の増幅率を低く設定すれば良い。
【００６１】
（６）上記実施形態においては、音場制御反射パネル１において、反射板３０とマイクロホン６０とスピーカ５０と制御部４０とが一体化されており、プレート１０の下面に設けられたローラ２０により移動可能となっている場合について説明した。しかし、それら音場制御反射パネル１の各部が構造的に一体化されていなくても、それらの構成をひとまとまりとして空間に設置するようにすれば良い。
また、上記実施形態においては、音場制御反射パネル１は、プレート１０を土台として床や地面に置かれる場合について説明したが、音場制御反射パネル１を天井から吊り下げたり壁に貼り付けたりしても良い。その場合、ローラ２０やプレート１０が不要となる場合については、それらの部材は無くても良い。
【００６２】
（７）上記実施形態においては、音場制御反射パネル１の機械的構成の配置形態について、一例を示した。しかし、配置形態は上記の態様に限られるものではない。また、反射板３０の形態も、上記実施形態の態様に限られるものではなく、以下のように様々な態様が可能である。
例えば、図９に示すように、上記実施形態と同様にローラ２０が下面に設けられたプレート１０に、平面状の反射板３０が鉛直から所定の角度傾けて固定されており、マイクロホン６０は上記実施形態と同様に反射板３０の表面に、スピーカ５０はプレート１０の下面から音場制御反射パネル１の設置面に向けて放音され、プレート１０と設置面との隙間またはプレート１０の側面の隙間を経て、前記放音された音がマイクロホン６０へ回り込むように配置されていても良い。このようにすれば、上記実施形態と同様に反射板３０の表面に到達した音は反射板３０の前方に反射される。また、スピーカ５０により放音された音は音場制御反射パネル１の設置面に反射した間接音またはプレート１０の側面を回り込んだ間接音が反射板３０の前方に漏れ聞こえるため、聴取者はスピーカ５０の存在を意識することなく音を聞くことができると共に、スピーカ５０とマイクロホン６０によるハウリングが抑制される。
【００６３】
（８）上記実施形態においては、ＡＦＣ回路において、ＢＰＦ４２、アンプ４３、および遅延部４４の組み合わせからなる複数の処理系統により音データの周波数特性の変換、振幅の調整、および時間的な遅延処理を施す場合について説明した。しかし、これらの音響処理のうちいずれか、または全てを施さないようにしても良い。
【図面の簡単な説明】
【００６４】
【図１】音場制御反射パネル１の機械的構成を示した図である。
【図２】反射板３０の形状を示す図である。
【図３】音場制御反射パネル１の電気的構成を示す図である。
【図４】ＡＦＣ回路を表す図である。
【図５】空間における音場制御反射パネル１の配置を示した図である。
【図６】操作部を含む音場制御反射パネル１の構成を示す図である。
【図７】操作部８０を示した図である。
【図８】空間における音場制御反射パネル１の配置を示した図である。
【図９】変形例（７）に係る音場制御反射パネル１の機械的構成を示した図である。
【符号の説明】
【００６５】
１…音場制御反射パネル、２…ネットワーク、３…演奏エリア、４…聴取エリア、１０…プレート、２０…ローラ、３０…反射板、３１…上部構造、３２…下部構造、４０…制御部、４２…バンドパスフィルタ（ＢＰＦ）、４３…アンプ、４４…遅延部、４５…ミキシング部、５０…スピーカ、５５…Ｄ／Ａコンバータ、６０…マイクロホン、６５…Ａ／Ｄコンバータ、７０…通信インタフェース（ＩＦ）部、８０…操作部、８１…イコライジング部、８２…遅延操作部、８３…増幅率、８４…スライダ、８６…遅延時間、８７…アイコン
【図１】
2009092682.tif 000003
【図２】
2009092682.tif 000004
【図３】
2009092682.tif 000005
【図４】
2009092682.tif 000006
【図５】
2009092682.tif 000007
【図６】
2009092682.tif 000008
【図７】
2009092682.tif 000009
【図８】
2009092682.tif 000010
【図９】
2009092682.tif 000011